(57)【要約】【課題】複数種の噴出口が設けられた洗浄ノズルを備えた人体局部洗浄装置において、局部洗浄に使用しなかった噴出口に汚物等が詰まってしまうのを防止すること。【解決手段】複数種の噴出口１１、１２が設けられた洗浄ノズル１０を備え、複数種の噴出口１１、１２のうちの一部を用いた局部洗浄工程において、当該局部洗浄工程で用いられない噴出口を洗浄する噴出口洗浄動作を実行する人体局部洗浄装置１とする。噴出口洗浄動作は、局部洗浄工程における局部洗浄動作後に実行されるようにしてもよいし、局部洗浄工程における局部洗浄動作中に実行されるようにしてもよい。【選択図】図６
2019082110.tif 000002
【特許請求の範囲】
【請求項１】
複数種の噴出口が設けられた洗浄ノズルと、
前記洗浄ノズルを駆動させるノズル駆動機構と、
使用者からの洗浄指示に応じて局部洗浄工程を実行する制御手段と、
を備え、
前記局部洗浄工程は、前記ノズル駆動機構により前記洗浄ノズルが原位置より前進を開始してから、洗浄位置に位置した状態で前記複数種の噴出口のうちの一部に水を流通させて局部を洗浄する局部洗浄動作を経て、前記ノズル駆動機構により前記洗浄ノズルが原位置に戻った後所定時間経過するまでの工程であり、
前記局部洗浄工程において、前記局部洗浄動作で用いられる噴出口に水を流通させない状態で当該噴出口とは別の噴出口に水を流通させる噴出口洗浄動作が実行される、人体局部洗浄装置。
【発明の詳細な説明】
【技術分野】
【０００１】
本発明は、複数種の噴出口が設けられた洗浄ノズルを備えた人体局部洗浄装置に関する。
【背景技術】
【０００２】
下記特許文献１に記載されるように、一の洗浄ノズルに複数種の噴出口（例えば、おしり洗浄用噴出口とビデ洗浄用噴出口）が設けられた人体局部洗浄装置が公知である。
【先行技術文献】
【特許文献】
【０００３】
【特許文献１】特開平９−１４４１０４号公報
【発明の概要】
【発明が解決しようとする課題】
【０００４】
この種の人体局部洗浄装置では、複数種の噴出口のうちの一部の噴出口を使用して局部洗浄を実行した場合、使用していない噴出口に汚物等（排泄物やトイレットペーパ等）が詰まってしまうおそれがある。なお、一種の噴出口が形成された洗浄ノズルを複数備える人体局部洗浄装置の場合、洗浄対象に応じて一の洗浄ノズルのみが局部洗浄位置に進出し、他の洗浄ノズルは原位置に位置したままであるから、このような問題は生じにくい。
【０００５】
本発明が解決しようとする課題は、複数種の噴出口が設けられた洗浄ノズルを備えた人体局部洗浄装置において、局部洗浄に使用しなかった噴出口に汚物等が詰まってしまうのを防止することにある。
【課題を解決するための手段】
【０００６】
上記課題を解決するため本発明にかかる人体局部洗浄装置は、複数種の噴出口が設けられた洗浄ノズルを備え、前記複数種の噴出口のうちの一部を用いた局部洗浄工程において、当該局部洗浄工程で用いられない噴出口を洗浄する噴出口洗浄動作を実行するものである。
【０００７】
前記噴出口洗浄動作は、前記局部洗浄工程における局部洗浄動作後に実行されるとよい。
【０００８】
前記噴出口洗浄動作は、前記局部洗浄工程における局部洗浄動作中に実行されてもよい。
【０００９】
この場合、前記噴出口洗浄動作は、洗浄対象となる噴出口から噴出する水の高さを、前記局部洗浄動作に用いられる噴出口から噴出する水の高さよりも低くすることで実行されるとよい。
【００１０】
所定の操作手段が操作されたとき、前回の局部洗浄または噴出口洗浄のために水を流通させた噴出口とは異なる噴出口について前記噴出口洗浄動作を実行するようにするとよい。
【００１１】
前記洗浄ノズルは、水平方向に対して傾斜するように設けられており、前記複数種の噴出口は、前記洗浄ノズルの幅方向または長手方向に並ぶように設けられているとよい。
【発明の効果】
【００１２】
本発明にかかる人体局部洗浄装置では、局部洗浄工程で用いられない噴出口を洗浄する噴出口洗浄動作を実行するから、当該用いられない噴出口に汚物等が詰まってしまうのを防止することができる。
【００１３】
噴出口洗浄動作が局部洗浄動作後に実行されるようにすれば、各動作の制御が容易である。
【００１４】
噴出口に汚物等が詰まりやすいのは、洗浄ノズルが洗浄位置まで進出し、局部洗浄動作を実行しているときである。そのため、噴出口洗浄動作が局部洗浄動作中に実行されるようにすれば、局部洗浄動作中、局部洗浄に用いない噴出口から水が流出することになるから、当該局部洗浄に用いない噴出口に汚物が詰まるのを防止することができる。
【００１５】
この場合、洗浄対象となる噴出口から噴出する水の高さを、局部洗浄動作に用いられる噴出口から噴出する水の高さよりも低くすることで、洗浄対象となる噴出口から流出する水が局部洗浄に関与しないように（局部に当たらないように）することができる。
【００１６】
使用者が操作可能な操作手段の操作によって噴出口の洗浄が実行されるようにすることができる。このとき、前回の局部洗浄または噴出口洗浄のために水を流通させた噴出口とは異なる噴出口について噴出口洗浄動作を実行するように構成することで、使用する噴出口に偏りがあっても、全ての噴出口を清潔に保つことができる。
【図面の簡単な説明】
【００１７】
【図１】本発明の一実施形態にかかる人体局部洗浄装置が収容部に収容された状態を示した図である。
【図２】本発明の一実施形態にかかる人体局部洗浄装置の概念図（水回路を示した図）である。
【図３】（ａ）は本発明の一実施形態にかかる人体局部洗浄装置が備える洗浄ノズルの外観図であり、（ｂ）は（ａ）におけるＡ−Ａ断面を模式的に示した図である。
【図４】第一具体例にかかる噴出口洗浄動作を実現するためのバルブ装置の一例を説明するための図である。
【図５】第一具体例にかかる噴出口洗浄動作を実現するためのバルブ装置（図４とは異なるバルブ装置）のロータを示した図である。
【図６】局部洗浄動作中に噴出口洗浄動作が実行されている様子（第二具体例にかかる噴出口洗浄動作）を示した図である。
【図７】第二具体例にかかる噴出口洗浄動作を実現するためのバルブ装置の一例を説明するための図である。
【図８】第二具体例にかかる噴出口洗浄動作を実現するためのバルブ装置（図７とは異なるバルブ装置）のロータを示した図である。
【図９】噴出口洗浄を開始させる操作手段の一例を示した図である。
【発明を実施するための形態】
【００１８】
以下、本発明の一実施形態にかかる人体局部洗浄装置１について詳細に説明する。図１および図２に示す本実施形態にかかる人体局部洗浄装置１は、人体の局部を洗浄する洗浄ノズル１０を備えるものであって、便座９０の後方に設けられる収容部９１に収容されている。便座９０と収容部９１は一体化されていてもよいし、別々の部材であってもよい。人体局部洗浄装置１を構成する洗浄ノズル１０や、洗浄ノズル１０を駆動するノズル駆動機構、洗浄ノズル１０に局部洗浄用の水を供給するためのホース等の配管は、収容部９１内に収容されている。
【００１９】
人体局部洗浄装置１は、図３に示すような一の洗浄ノズル１０を備える。この洗浄ノズル１０の先端側（前側）における上面には、複数種の噴出口が設けられている。本実施形態にかかる洗浄ノズル１０は、その先端が最も重力方向における下方に位置するように、水平方向に対して傾斜している。本実施形態における洗浄ノズル１０には、第一噴出口１１（おしり洗浄用の噴出口）と第二噴出口１２（ビデ洗浄用の噴出口）が設けられている。なお、各種の噴出口は、一つの孔のみを含むものであってもよいし、複数の孔を含むものであってもよい。本実施形態では、第一噴出口１１が一つの孔から構成され、第二噴出口１２が複数の孔から構成されている。第一噴出口１１と第二噴出口１２は、幅方向（洗浄ノズル１０の長手方向に直交する方向）に並ぶように設けられている。よって、本実施形態では、重力方向における第一噴出口１１と第二噴出口１２の位置は略同じである。ただし、第一噴出口１１と第二噴出口１２が長手方向に並ぶように設けられていてもよい。
【００２０】
ノズル駆動機構を駆動し、洗浄ノズル１０を前進させると、洗浄ノズル１０の先端側の一部が収容部９１外に露出した洗浄位置（洗浄位置として複数設定されていてもよい）に到達する。つまり、洗浄ノズル１０の先端側に形成された噴出口が露出した状態となる。洗浄ノズル１０を前後方向にスライドさせるノズル駆動機構は、公知の構成が適用できるから説明を省略する。
【００２１】
人体の局部洗浄時には、洗浄ノズル１０を洗浄位置に位置させた状態で第一噴出口１１または第二噴出口１２より洗浄水が噴出される。洗浄ノズル１０内には、第一噴出口１１に繋がる第一流路１１１と、この第一流路１１１と区画された第二噴出口１２に繋がる第二流路１１２が形成されている（図３（ｂ）参照）。また、洗浄ノズル１０の上流側には、水源からの水が供給されるバルブ装置２０が設けられている（図２参照）。当該バルブ装置２０により、どちらの流路に水を供給するか、すなわちどちらの噴出口から水を噴出させるかが切替制御される。水源から洗浄ノズル１０までの水回路には、水の温度を調整する（水を温める）装置や水の逆流を防止する逆止弁等、その他の装置が設けられていてもよい。
【００２２】
図示されないおしり洗浄開始スイッチが操作されたときには、洗浄ノズル１０を洗浄位置に位置させた後、第一噴出口１１より洗浄水が噴出される。その後、図示されない停止スイッチが操作されたときには、第一噴出口１１からの洗浄水の噴出を停止し、洗浄ノズル１０を原位置に戻す。ノズルを乾燥させる乾燥装置等が設けられている場合には、当該装置によってノズルを乾燥させる。同様に、図示されないビデ洗浄用スイッチが操作されたときには、洗浄ノズル１０を洗浄位置に位置させた後、第二噴出口１２より洗浄水が噴出される。その後、図示されない停止スイッチが操作されたときには、第二噴出口１２からの洗浄水の噴出を停止し、洗浄ノズル１０を原位置に戻す。
【００２３】
このように、本実施形態では、使用者によって局部洗浄動作を開始させるスイッチが操作されたとき、局部洗浄工程が実行される。具体的には、局部洗浄工程は、「洗浄ノズル１０が前進を開始してから、局部洗浄動作を経て、原位置に戻った後所定時間経過するまで」の一連の動作を指す。本実施形態にかかる人体局部洗浄装置１は、当該局部洗浄工程において、以下で説明する噴出口洗浄動作が実行される。
【００２４】
噴出口洗浄動作は、局部洗浄動作で用いられている噴出口以外の噴出口に汚物等が詰まることを防止するためのものである。噴出口洗浄動作は、以下で示す第一具体例および第二具体例のように局部洗浄工程において自動的に実行されてもよいし、第三具体例のように使用者が所定の操作手段を操作したときに実行されるようにしてもよい。
【００２５】
第一具体例は、局部洗浄工程における局部洗浄動作終了後に噴出口洗浄動作が実行されるものである。つまり、洗浄ノズル１０が洗浄位置で第一噴出口１１および第二噴出口１２の一方から水を局部に向けて噴出させる局部洗浄動作の後、第一噴出口１１および第二噴出口１２の他方から水を流出させ、当該他方の噴出口を洗浄する。噴出口洗浄動作を実行するタイミング（トリガー）は、種々考えられる。
【００２６】
例えば、噴出口の一方を用いた局部洗浄動作を終了する指令が出された（使用者が停止スイッチを操作したとき、局部洗浄動作開始から所定時間が経過したとき等）後、他方の噴出口に対する噴出口洗浄動作が開始されるようにしてもよいし、洗浄ノズル１０が原位置に戻ったことが検出された後、他方の噴出口に対する噴出口洗浄動作が開始されるようにしてもよい。他方の噴出口に詰まった汚物が固まってしまうこと等を防止するため、局部洗浄動作完了後できるだけ早く噴出口洗浄動作を実行するとよい。
【００２７】
噴出口洗浄動作においては、他方の噴出口から流出させる水が便器外に出てしまう等の状況が発生しないように水圧が設定される。噴出口洗浄動作時に噴出口から噴出される水の高さは、少なくとも局部洗浄動作時に噴出口から噴出される水の高さ（局部洗浄の水圧を変更することができる構成の場合は、最も水圧が低いときの水の高さ）よりも低くなるように設定されているとよい。
【００２８】
このような水圧の設定を実現するバルブ装置としては、図４に示すようなバルブ装置２０が例示できる。図４に示すバルブ装置２０は、本体２１およびこの本体２１内で回動するロータ２２を備えるロータリーバルブである。本体２１には、洗浄ノズル１０の第一流路１１１に繋がる第一出力孔２１１、第二流路１１２に繋がる第二出力孔２１２が形成されている。また、水源から送られた水の進入口である入力孔２１３が形成されている。水源から送られた水は、この入力孔２１３を通じて筒状であるロータ２２の内側に入り込む。なお、ロータ２２の外面と本体２１の内側の間から水が進入したり、漏出したりしないようにするためのシール部材２４（例えばＯリング）が設けられている。
【００２９】
ロータ２２には、第一局部洗浄用孔２２１、第一噴出口洗浄用孔２２２、第二局部洗浄用孔２２３、および第二噴出口洗浄用孔２２４が形成されている。第一出力孔２１１と、第一局部洗浄用孔２２１および第一噴出口洗浄用孔２２２のロータ２２の回転軸方向における位置は同じである。第二出力孔２１２と、第二局部洗浄用孔２２３および第二噴出口洗浄用孔２２４のロータ２２の回転軸方向における位置は同じである。本体２１に形成された第一出力孔２１１および第二出力孔２１２のロータ２２の回転方向における位置は同じであり、ロータ２２に形成された四つの孔のロータ２２の回転方向における位置は異なる。第一噴出口洗浄用孔２２２および第二噴出口洗浄用孔２２４の大きさは、第一局部洗浄用孔２２１および第二局部洗浄用孔２２３の大きさよりも小さい。第一出力孔２１１の大きさは第一局部洗浄用孔２２１と同じかそれよりも大きく、第二出力孔２１２の大きさは第二局部洗浄用孔２２３と同じかそれよりも大きい。
【００３０】
第一噴出口１１を用いて局部洗浄動作を実行する場合には、駆動源（モータ２３）によってロータ２２を回転させ第一局部洗浄用孔２２１と第一出力孔２１１の位置を一致させる（図４（ａ）参照）。これにより、洗浄ノズル１０の第一流路１１１に水が流れ込み、第一噴出口１１から局部に向けて水が噴出される。第一噴出口１１を用いた局部洗浄動作後、噴出口洗浄動作を実行する旨の信号を受けたときには、ロータ２２を回転させ、第二噴出口洗浄用孔２２４と第二出力孔２１２の位置を一致させる（図４（ｂ）参照）。これにより、洗浄ノズル１０の第二流路１１２に水が流れ込み、第二噴出口１２から水が流れ出る。第二噴出口洗浄用孔２２４の大きさは、第一局部洗浄用孔２２１や第二局部洗浄用孔２２３の大きさよりも小さいため、洗浄ノズル１０の第二流路１１２に流れ込む水の流量は、局部洗浄時よりも小さい。したがって、第二噴出口１２から噴出される水の高さは、局部洗浄時よりも低くなる。
【００３１】
同様に、第二噴出口１２を用いて局部洗浄動作を実行する場合には、ロータ２２を回転させ第二局部洗浄用孔２２３と第二出力孔２１２の位置を一致させる（図４（ｃ）参照）。これにより、洗浄ノズル１０の第二流路１１２に水が流れ込み、第二噴出口１２から局部に向けて水が噴出される。第二噴出口１２を用いた局部洗浄動作後、噴出口洗浄動作を実行する旨の信号を受けたときには、ロータ２２を回転させ、第一噴出口洗浄用孔２２２と第一出力孔２１１の位置を一致させる（図４（ｄ）参照）。これにより、洗浄ノズル１０の第一流路１１１に水が流れ込み、第一噴出口１１から水が流れ出る。第一噴出口洗浄用孔２２２の大きさは、第一局部洗浄用孔２２１や第二局部洗浄用孔２２３の大きさよりも小さいため、洗浄ノズル１０の第一流路１１１に流れ込む水の流量は、局部洗浄時よりも小さい。したがって、第一噴出口１１から噴出される水の高さは、局部洗浄時よりも低くなる。
【００３２】
このように、洗浄ノズル１０に形成された第一流路１１１および第二流路１１２それぞれに流れ込む水の流量が相対的に大きい状態と小さい状態を切り替えることが可能なバルブ装置２０とすることで、噴出口洗浄動作において、洗浄対象の噴出口から流出させる水が便器外に出てしまう等の状況が発生しないようにすることができる。また、噴出口洗浄動作に使用される水の量を減らすこと（節水性を向上させること）ができる。なお、洗浄ノズル１０から噴出する水の高さは、第一噴出口１１や第二噴出口１２の形状・数等により変わる。よって、第一噴出口１１や第二噴出口１２の形状・数等に応じて、上記第一出力孔２１１、第二出力孔２１２、第一局部洗浄用孔２２１、第一噴出口洗浄用孔２２２、第二局部洗浄用孔２２３、および第二噴出口洗浄用孔２２４の大きさを適宜増減させてもよい。
【００３３】
局部洗浄動作において一方の噴出口から噴出される水の高さ（洗浄強さ）を変化させることができる装置とする場合には、図５に示すように、第一局部洗浄用孔２２１や第二局部洗浄用孔２２３を、ロータ２２の回転方向に延びる長孔であって、当該方向においてその幅が変化するような形状とすればよい。また、第一局部洗浄用孔２２１や第二局部洗浄用孔２２３をこのような長孔とする場合、これらの孔によって制御可能な流量の幅を大きくすれば、上記第一噴出口洗浄用孔２２２や第二噴出口洗浄用孔２２４が不要になる。つまり、第一局部洗浄用孔２２１や第二局部洗浄用孔２２３によって制御可能な流量の範囲が、噴出口洗浄時に設定すべき流量を含む範囲であれば、これらの孔によって流量を調整することで噴出口洗浄を実行する構成としてもよい。
【００３４】
このような噴出口洗浄動作を実行することにより、一方の噴出口を用いた局部洗浄時に他方の噴出口に汚物等が詰まったとしても、当該噴出口洗浄動作により汚物等が押し出される。つまり、複数種の噴出口が形成された洗浄ノズル１０を用いて局部洗浄を行う装置では、局部洗浄に用いていない噴出口に汚物等が詰まってしまうおそれがあるところ、本例では局部洗浄工程における局部洗浄動作後に噴出口洗浄動作を実行するから、当該汚物等の詰り（詰まって固まってしまうこと）が防止される。
【００３５】
第二具体例は、局部洗浄工程における局部洗浄動作中に噴出口洗浄動作を実行するものである。つまり、洗浄動作中には、局部洗浄に使用する噴出口だけでなく、それ以外の噴出口からも水が流れ出る。ただし、本例においては、洗浄対象となる噴出口から噴出する（流れ出る）水が、局部洗浄に関与しないように（局部に当たらないように）設定する。つまり、洗浄対象となる噴出口から噴出する水の高さは、局部洗浄動作に用いられる噴出口から噴出する水の高さ（局部洗浄の水圧を変更することができる構成の場合は、最も水圧が低いときの水の高さ）よりも低い（図６参照）。
【００３６】
このような構成を実現するバルブ装置としては、図７に示すようなバルブ装置２０が例示できる。図７に示すバルブ装置２０は、本体２１およびロータ２２を有するロータリーバルブである。本体２１には、洗浄ノズル１０の第一流路１１１に繋がる第一出力孔２１１、第二流路１１２に繋がる第二出力孔２１２が形成されている。ロータ２２には、第一局部洗浄用孔２２１、第一噴出口洗浄用孔２２２、第二局部洗浄用孔２２３、および第二噴出口洗浄用孔２２４が形成されている。第一出力孔２１１と、第一局部洗浄用孔２２１および第一噴出口洗浄用孔２２２のロータ２２の回転軸方向における位置は同じである。第二出力孔２１２と、第二局部洗浄用孔２２３および第二噴出口洗浄用孔２２４のロータ２２の回転軸方向における位置は同じである。本体２１に形成された二つの孔のロータ２２の回転方向における位置は同じである。ロータ２２に形成された四つの孔のうち、第一局部洗浄用孔２２１と第二噴出口洗浄用孔２２４のロータ２２の回転方向における位置は同じであり、第二局部洗浄用孔２２３と第一噴出口洗浄用孔２２２のロータ２２の回転方向における位置は同じである。第一噴出口洗浄用孔２２２および第二噴出口洗浄用孔２２４の大きさは、第一局部洗浄用孔２２１および第二局部洗浄用孔２２３の大きさよりも小さい。第一出力孔２１１の大きさは第一局部洗浄用孔２２１と同じかそれよりも大きく、第二出力孔２１２の大きさは第二局部洗浄用孔２２３と同じかそれよりも大きい。
【００３７】
第一噴出口１１を用いた局部洗浄動作を実行する場合には、ロータ２２を回転させ第一局部洗浄用孔２２１と第一出力孔２１１の位置を一致させる（図７（ａ）参照）。そうすると、ロータ２２の回転方向における第一局部洗浄用孔２２１と第二噴出口洗浄用孔２２４の位置は同じであるから、第二噴出口洗浄用孔２２４と第二出力孔２１２の位置も一致する。これにより、洗浄ノズル１０の第一流路１１１および第二流路１１２に水が流れ込む。第二噴出口洗浄用孔２２４の大きさは、第一局部洗浄用孔２２１の大きさよりも小さいから、第一流路１１１に流れ込む水の流量よりも第二流路１１２に流れ込む水の流量の方が小さい。したがって、洗浄対象となる第二噴出口１２から噴出する水の高さは、局部洗浄動作に用いられる第一噴出口１１から噴出する水の高さよりも低くなる。
【００３８】
同様に、第二噴出口１２を用いた局部洗浄動作を実行する場合には、ロータ２２を回転させ第二局部洗浄用孔２２３と第二出力孔２１２の位置を一致させる（図７（ｂ）参照）。そうすると、ロータ２２の回転方向における第二局部洗浄用孔２２３と第一噴出口洗浄用孔２２２の位置は同じであるから、第一噴出口洗浄用孔２２２と第一出力孔２１１の位置も一致する。これにより、洗浄ノズル１０の第一流路１１１および第二流路１１２に水が流れ込む。第一噴出口洗浄用孔２２２の大きさは、第二局部洗浄用孔２２３の大きさよりも小さいから、第二流路１１２に流れ込む水の流量よりも第一流路１１１に流れ込む水の流量の方が小さい。したがって、洗浄対象となる第一噴出口１１から噴出する水の高さは、局部洗浄動作に用いられる第二噴出口１２から噴出する水の高さよりも低くなる。
【００３９】
このように、洗浄ノズル１０に形成された一方の流路に流れ込む水の流量が相対的に大きく、他方の流路に流れ込む水の流量が相対的に小さい状態をつくり出すことが可能なバルブ装置２０を用いることで、洗浄対象となる噴出口から噴出する（流れ出る）水が、局部洗浄に関与しないようにすることができる。なお、洗浄ノズル１０から噴出する水の高さは、第一噴出口１１や第二噴出口１２の形状・数等により変わる。よって、第一噴出口１１や第二噴出口１２の形状・数等に応じて、上記第一出力孔２１１、第二出力孔２１２、第一局部洗浄用孔２２１、第一噴出口洗浄用孔２２２、第二局部洗浄用孔２２３、および第二噴出口洗浄用孔２２４の大きさを適宜増減させてもよい。
【００４０】
局部洗浄動作において一方の噴出口から噴出される水の高さ（洗浄強さ）を変化させることができる装置とする場合には、図８に示すように、第一局部洗浄用孔２２１や第二局部洗浄用孔２２３を、ロータ２２の回転方向に延びる長孔であって、当該方向においてその幅が変化するような形状とし、第一噴出口洗浄用孔２２２や第二噴出口洗浄用孔２２４を、ロータ２２の回転方向に延びる長孔であって、当該方向においてその幅が変化しないような形状とすればよい。
【００４１】
本例のように、噴出口洗浄動作が局部洗浄動作中に実行されるようにすれば、局部洗浄動作中、局部洗浄に用いない噴出口から水が流出することになるから、当該局部洗浄に用いない噴出口に汚物が詰まるのを防止することができる。
【００４２】
第三具体例は、所定の操作手段３０が操作されたときに噴出口洗浄動作を実行するものである。所定の操作手段３０は、使用者が操作可能なものであればどのようなものであってもよい。例えば、図９に示すような「ノズル洗浄」といった記載がされたスイッチが、使用者が操作可能な位置に設けられていればよい。
【００４３】
本例における装置では、装置内の記憶手段に、前回の局部洗浄または噴出口洗浄のために水を流通させた噴出口がどの噴出口であったかが記憶される。上記操作手段３０が操作されたときには、この記憶に基づき、前回水を流通させた噴出口とは異なる噴出口について噴出口洗浄動作を実行する。例えば、第一噴出口１１を用いた局部洗浄を実行した後、上記操作手段３０が操作された場合には、前回水を流通させた噴出口が第一噴出口１１であるから、第二噴出口１２について洗浄を行う。仮にその後再び上記操作手段３０が操作された場合には、前回水を流通させた噴出口が第二噴出口１２であるから、第一噴出口１１について噴出口洗浄を行う。
【００４４】
このように、使用者自らが操作手段３０を操作することによって噴出口洗浄動作が実行されるようにすることができる。これにより、使用する噴出口に偏りがあっても、全ての噴出口を清潔に保つことができる。
【００４５】
なお、本例の構成は、上記第一具体例にかかる構成とともに適用することができる。つまり、局部洗浄工程において噴出口洗浄動作が自動的に実行され、かつ、使用者が所定の操作手段３０を操作したときに噴出口動作が実行される人体局部洗浄装置１としてもよい。
【００４６】
このような噴出口洗浄動作を行う本実施形態にかかる人体局部洗浄装置１では、上述したように洗浄ノズル１０が水平方向に対して傾斜している。また、第一噴出口１１と第二噴出口１２は、幅方向（洗浄ノズル１０の長手方向に直交する方向）に並ぶ。したがって、一方の噴出口を洗浄する噴出口洗浄動作を行ったとき、その噴出口を洗浄する水によって他方の噴出口が汚れてしまったり、一方の噴出口に詰まっていた汚物等が他方の噴出口に入り込んでしまったりすることが防止される。例えば、第一噴出口１１と第二噴出口１２が洗浄ノズル１０の長手方向に並ぶ構造であれば、重力方向上側に位置する噴出口を洗浄した際、重力方向下側の噴出口が汚れてしまったり、押し出された汚物が重力方向下側の噴出口に詰まってしまったりするおそれがあるところ、本実施形態では第一噴出口１１と第二噴出口１２が幅方向に並んでいるから、このような事態が発生してしまう蓋然性が低い。つまり、第一噴出口１１と第二噴出口１２は、幅方向に並んでいても長手方向に並んでいてもよいが、上述した観点から言えば、幅方向に並んでいることが望ましい。
【００４７】
以上、本発明の実施形態について詳細に説明したが、本発明は上記実施形態に何ら限定されるものではなく、本発明の要旨を逸脱しない範囲で種々の改変が可能である。
【００４８】
例えば、上記実施形態における洗浄ノズル１０は、第一噴出口１１および第二噴出口１２という二種の噴出口が形成されたものであることを説明したが、三つ以上の噴出口が形成されたものについても同様の技術思想が適用可能である。第一具体例および第二具体例の場合、ある一または二種以上の噴出口を用いて局部洗浄が実行されたときには、その他の一または二種以上の噴出口について噴出口洗浄を実行する。第三具体例の場合、前回局部洗浄または噴出口洗浄のためにある一または二種以上の噴出口に水を流通させた後、操作手段３０が操作されたときには、その他の一または二種以上の噴出口について噴出口洗浄を実行する。
【００４９】
また、上記実施形態にかかる人体局部洗浄装置１は、一の洗浄ノズル１０のみを備えるものであることを説明したが、複数の洗浄ノズルを備えるものであってもよい。複数の洗浄ノズルのうちの少なくとも一つが、複数種の噴出口が形成されたものであれば、当該洗浄ノズルに対し上記技術思想が適用可能である。
【符号の説明】
【００５０】
１  人体局部洗浄装置
１０  洗浄ノズル
１１  第一噴出口
１１１  第一流路
１２  第二噴出口
１１２  第二流路
２０  バルブ装置
２１  本体
２１１  第一出力孔
２１２  第二出力孔
２２  ロータ
２２１  第一局部洗浄用孔
２２２  第一噴出口洗浄用孔
２２３  第二局部洗浄用孔
２２４  第二噴出口洗浄用孔
３０  操作手段
【図１】
2019082110.tif 000003
【図２】
2019082110.tif 000004
【図３】
2019082110.tif 000005
【図４】
2019082110.tif 000006
【図５】
2019082110.tif 000007
【図６】
2019082110.tif 000008
【図７】
2019082110.tif 000009
【図８】
2019082110.tif 000010
【図９】
2019082110.tif 000011